(57)【特許請求の範囲】
【請求項１】
上・下一対の金型の下型を、上型の真下に上型と対称に配置して、此処を原点位置とし、下型を水平面上で原点位置を中心に左横と右横方向に、交互にスライドさせ成形サイクルを行う事を特徴とする成形プレス。
【請求項２】
上・下二対の金型を並列若しくは直列に配列し、上型（２個）の真下に下型（２個）を上型（２個）と対称に配置し、上下の金型の下型（２個）同士を水平面上で左横・右横又は手前・奥方向にしかも、同時で互いに逆方向にスライド（横移動）させ成形サイクルを行う事を特徴とする成形プレス。
【発明の詳細な説明】
【技術分野】
【０００１】  本発明は成形プレスに関するものであり、成形原料の供給と成形品の取り出しを容易にすると同時に、１サイクル（行程）に於ける成形品個数の量産化と、薄肉厚から厚肉厚迄の多様化と精度の高い成形品を提供する技術に関するものである。
【背景技術】
【０００２】  従来から、圧縮成形プレス機に於いては、上・下の金型の何れか片方を、プレス機本体に固定し、他の片方を加圧力源側に固定し、圧縮行程時のみ、加圧力源側に固定された金型が、上・下するものが一般であった。この場合、成形原料の供給と成形品の取り出しを容易にする為には、上・下部の金型の間隔を大きく取らねばならず、しいてはシリンダーのストロークが長くなり、１サイクル（行程）に無駄な時間が生じる為に、量産化には不向きであった。【０００３】  他に、プレス機本体の下部側に、圧縮加圧源として油圧シリンダー等の駆動源を設けてその上面にスライドテーブル（摺動台盤）を配し、其の上面に金型の上・下（雌雄）１対を乗せ金型の開閉には、別の油圧装置を設けたものがあったが、これらのプレス機は、圧縮加圧行程の前後には、成形原料の供給と成形品の取り出しの為、１サイクル（行程）の中で、２度の金型開閉をさせなくてはならず、前述に同じく無駄な時間が生じ、多量生産には不向きばかりか、金型の開閉装置が余分に必要な為、プレス機の構造が非常に複雑で、成形品の大きさや精度に制約がある等の問題があった。
【発明の開示】
【発明が解決しようとする課題】
【０００４】  しかし、従来に於いて［０００２］項の前述のような構造の圧縮成形プレス機では、成形原料の供給と成形品の取り出しの為に、上部と下部の金型の間隔を大きく取らなければならない等の不経済さを、解決する事を課題とする。【０００５】  次に、［０００３］項の後述のような構造の圧縮成形プレス機に於いては、成形原料の供給と成形品の取り出しの際、１サイクル（行程）の中で、２度の金型開閉をさせなくてはならない等の、時間の無駄が生じる為、成形品の多量生産化には、不適合で尚かつ、構造上でも複雑さに問題が有る不経済さ等を、解決することを課題とする。
【課題を解決する為の手段】
【０００６】この問題を解決する為の請求項１の発明は、金型の下型５を左右横方向に交互にスライドさせる場合、下型５をもう片方の金型上部の真下に対称に配置して、此処を原点位置とし、プレス機本体上部側に上型６を固定させる。つまり、上・下一対の金型の下型５を、左右横方向に交互にスライドさせ成形サイクルを行う事を特徴とする、圧縮成形プレスである。下型５を左右横方向に交互にスライドさせる事で、上・下部一対の金型の間で原料の供給と成形物の取り出しを、同位置で行う必要が無く、上・下部一対の金型の間隙を最小隙にする事が出来、課題を解決する。
【０００７】また、請求項２の発明は、上・下部二対の金型を設け、各々下型１（２個）の金型を上型２（２個）の真下に上型２（２個）と対称に並列若しくは直列に配し、上・下二対の金型の下型１（２個）同士を水平面上で左横・右横又は手前・奥方向にしかも同時で互いに逆方向にスライド（横移動）させる事で、単位時間当たりの生産量を大幅に増加させる事が出来、課題を解決する。
【０００８】更に、請求項１、２において、圧縮成形プレス機本体の上・下部の何れか片部に単数又は、複数の汎用の電動パルスモーターを設け、一対又は二対の金型の加圧源として、金型の開閉を行う事の出来る圧縮成形プレスである。当然スライド源としても、汎用の電動パルスモーターを使用する事で、圧縮成形プレスの構造上簡単になり、高精度が維持出来る。よって不経済さ等の課題を解決する。
【０００９】また、請求項１、２において、前述の［０００８］と同じく、汎用の電動パルスモーターの代わりに、汎用の油圧式シリンダーを設けて、一対又は二対の金型の加圧源として使用することで、金型の開閉とスライドを容易にしかも、簡単に加圧力と成形スピードの調整が出来る。しかるに、成形品の多量生産化に不適合等の課題を解決する。
【発明の効果】
【００１０】本発明により、上・下一対又は二対の金型の下型５を、左横・右横方向に交互にスライドさせる一対型と、二対の金型の下型１同士を同時にしかも、左横・右横又は手前・奥方向に互いに逆方向に横スライドさせる二対型どちらの場合も、被成形物原料の供給と成形物の取り出しが容易に出来る。
何故ならば、プレス機本体の成形位置から外れた位置で作業が行えるからである。横スライドした下型の上部には邪魔になる機器が無い。よって、上・下一対型と二対型の何れの場合も、成形位置で上・下の金型の間隙を最小隙にすることが出来る為、プレス機本体の高さを低くでき、加圧のための上下ストロークも短くてすみ、成形精度が向上し、成形サイクルも短くて多量生産による良製品を低価格で消費者に提供出来る。また整形プレス機の重さも軽量化が出来て、整形プレス機の価格も安く出来るので、本発明による経済的効果は多大である。
【００１１】更に、本発明の上・下一対型又は二対型の上・下の金型の加圧源と横スライド源に、汎用の電動パルスモーター又は汎用の油圧シリンダーを使用する事により、薄肉厚の成形物から厚肉厚の成形物まで、品質精度の高い製品を多量に提供出来ると共に、小形から大形までの成形物を多種多量容易に生産出来る。また、上・下の金型の加圧源と横スライド源には、成形物の性状によって、汎用の電動パルスモータータイプか汎用の油圧シリンダータイプの何れかを選択する事が可能であり経済的である。
また、本発明の請求項１の場合は、被成形物原料の供給と成形物の取り出しが、別々の位置で行えるので、被成形物「原料のこぼれかす」と「成形物かす」が混じる事もないので、何れのかすも再利用が可能である。よって環境美化にもつながる効果もある。また、本発明の請求項２の場合は、上・下二対の金型の下型１（２個）同士を、互いに同時で左横・右横又は手前・奥方向の逆方向に、スライド（横移動）させるので、同じ成形物を一度に２倍の能力もしくは、二種類例えば容器の場合は、椀と蓋などが一度に成形出来る。よって、本発明による経済的効果は多大である。
【発明を実施する為の最良の形態】
【００１２】図１は、上・下二対（各々２個）の金型を並列に配列し、上・下の金型の下型１（２個）同士を水平面上で左横・右横又は手前・奥方向に互いに同時で逆方向に横スライドさせる事を特徴とする、圧縮成形プレスの金型部の立体斜視図である。
同図に示すように、上・下二対（各々２個）の金型の下型１（２個）を、上型２（各々２個）の真下にしかも、対称に配列し、下型１（２個）同士を互いに同時に逆方向に左横・右横又は手前・奥方向に横スライドさせ、成形サイクルを行うので、成形位置の間で被成形物原料の供給と成形物の取り出しをしなくてもよく、被成形物原料の供給と成形物の取り出しが容易になる上に、成形物の多量生産が可能になる。
【００１３】図２は、上・下一対の金型の下型５を、水平面上で左右横方向に交互にスライドさせる事を特徴とする、圧縮成形プレスの金型部の立体斜視図である。同図に示すように、上・下一対の金型の下型５を上型６の真下に配置して、左右横方向に交互に下型５を横スライドさせる事で、上・下部一対の金型の間で被成形物原料の供給と成形物の取り出しを必要としない為、上・下部一対の金型つまり成形位置での上・下の金型の間隙を最小限にすることが出来て、金型の加圧ストロークが短くなり、１サイクル（行程）の時間が少なくて済む事で、単位時間あたりの生産量を大幅に増加させる事が出来る。
【００１４】本発明に係る圧縮成形プレスの加圧源及び横スライド源には、汎用電動パルスモーター又は汎用油圧シリンダーを設ける事が出来る。本発明の圧縮成形プレスに於いては、成形物の性状に応じて加圧源及び横スライド源を選択すればよく、薄肉厚から厚肉厚までと小形から大形までの成形物を高精度で多種多量に提供する事が出来る。
【産業上の利用可能性】
【００１５】本発明に係る圧縮成形プレスは、金型の上・下一対又は二対のタイプで下型５を水平面上で交互に左右横方向に交互に横スライドさせる一対型と、左横・右横又は手前・奥方向に下型１（２個）同士を互いに同時に、逆方向にスライドさせる二対型で、何れのタイプの場合も、被成形物原料の供給と成型物の取り出しが容易に出来て効率化となる。
又、金型の上・下一対型及び二対型においても、圧縮加圧源と横スライド源に汎用電動パルスモーター又は汎用油圧シリンダーを整形物の形状及び性状によって選択できる為、精度の高い成形物と多種多量の成形物の量産化が可能になり、産業上の利用可能性を有する。
【図面の簡単な説明】
【００１６】
【図１】上・下二対の金型を並列に配列し、下型１（２個）同士を互いに同時に逆方向に横スライド出来るようにした、成形プレスの金型部の動作状態を示す立体斜視図である。
【図２】上・下一対の金型を設け、上・下の金型の下型５を左右横方向に交互に横スライド出来るようにした、成形プレスの金型部の動作状態を示す立体斜視図である。
【符号の説明】
【００１７】１・・・上下二対型の場合の下金型
２・・・上下二対型の場合の上金型
４・・・従来の加圧側上金型
５・・・上下一対型の場合の下金型
６・・・上下一対型の場合の上金型
【図１】
0005435254.tif 000002
【図２】
0005435254.tif 000003
【図３】
0005435254.tif 000004